(57)【要約】      （修正有）【課題】被記録媒体の搬送方向と交差する方向に往復動するキャリッジを有し、インクチューブなどのインク供給管の垂れ下がりを防止する画像記録装置を提供する。【解決手段】インクチューブ４１は、記録ヘッドが搭載されたキャリッジ３８の往復動に追従して姿勢変化する可撓性を有する。その一端側はキャリッジ３８のチューブ継手１４０に接続されており、他端側は装置本体に固定されている。キャリッジ３８に台座１４１が設けられている。チューブ継手１４０から引き出されたインクチューブ４１は台座１４１の上面の傾斜面１４４に担持される。傾斜面１４４は、インクチューブ４１の引出方向に向けて上方へ傾斜しており、インクチューブ４１を上方へ案内する。【選択図】図８
0003163292.tif 000002
【実用新案登録請求の範囲】
【請求項１】
記録ヘッドが搭載されて、被記録媒体の搬送方向と交差する方向に往復動されるキャリ
ッジと、
上記キャリッジの往復動に追従して姿勢変化する可撓性を有し、一端が装置本体に固定
され且つ他端が上記キャリッジに接続され、上記記録ヘッドにインクを供給するインク供
給管と、
上記キャリッジと上記インク供給管との接続部の近傍に設けられ、該接続部から引き出
される上記インク供給管の引出方向を上方へ偏向させるガイド部材と、を具備する画像記
録装置。
【請求項２】
上記ガイド部材は、上記接続部側から上記引出方向へ向けて上記インク供給管を上方へ
案内する傾斜面と、該傾斜面の上端が湾曲形成された湾曲部とを有する請求項１に記載の
画像記録装置。
【請求項３】
複数の上記インク供給管は、上記接続部において水平方向に配列され、上記キャリッジ
から離間するにしたがって配列姿勢が垂直方向に変化するように引き回されており、
上記傾斜面は、垂直配列において最上部に配置されるインク供給管が案内される部位か
ら垂直配列において最下部に配置されるインク供給管が案内される部位に渡って下り傾斜
している請求項２に記載の画像記録装置。
【請求項４】
上記インク供給管は、上記キャリッジの往復動方向に反転されて湾曲状に引き回されて
いる請求項１から３のいずれかに記載の画像記録装置。
【請求項５】
上記インク供給管は、上記キャリッジにおける往復動方向の両端それぞれから引き出さ
れている請求項１から４のいずれかに記載の画像記録装置。
【考案の詳細な説明】
【技術分野】
【０００１】
本考案は、被記録媒体に画像を記録する記録ヘッドを搭載して被記録媒体の搬送方向と
交差する方向に往復動するキャリッジを備えた画像記録装置に関し、特に、キャリッジに
インク供給管が接続されてなる画像記録装置に関するものである。
【背景技術】
【０００２】
従来、入力信号に基づいてインクを噴射して被記録媒体に画像記録を行う画像記録装置
として、記録ヘッドのアクチュエータにインクを導き、入力信号に応じた圧電素子、電歪
素子等のアクチュエータの撓みや、発熱素子による局部的なインクの沸騰を利用してイン
クを加圧噴射するものが知られている。
【０００３】
例えば、シリアルプリンタと呼ばれる画像記録装置では、被記録媒体の搬送方向と直交
する方向に往復動するキャリッジに上記記録ヘッドが搭載されている。そして、被記録媒
体が所定幅ずつ間欠搬送される毎にキャリッジが往復動されて画像記録が行われる。上記
記録ヘッドにインクを供給するため、別置きのインクカートリッジから導出された可撓性
あるインクチューブ(インク供給管)が上記キャリッジに接続されている。このインクチュ
ーブは、キャリッジの往復動に追従できる十分な長さを有するものであり、キャリッジと
インクカートリッジとの間で略Ｕ字形状に撓ませて配設される（特許文献１から特許文献
３参照）。
【０００４】
図１２は、従来の画像記録装置におけるキャリッジ９０及びインクチューブ９１を模式
化した模式図であり、（Ａ）はその側面図であり（Ｂ）はその平面図である。キャリッジ
９０は、記録用紙の搬送方向と直交する方向９４（図１２の紙面左右方向）に往復動され
、その際に、不図示の記録ヘッドからインクが吐出されることにより被記録媒体に画像が
記録される。キャリッジ９０には、チューブ継手９３が設けられており、インクカートリ
ッジから導出されたインクチューブ９１がチューブ継手９３に接続されている。このイン
クチューブ９１は、インクカートリッジからキャリッジ９０に至るまでの中間箇所９２が
装置フレーム等に固定されており、中間箇所９２からキャリッジ９０に至るまでの間は固
定されていない。それゆえ、中間箇所９２からキャリッジ９０に至るまでのインクチュー
ブ９１の姿勢が自由に変化可能である。なお、図１２には示されていないが、キャリッジ
９０はその移動方向９４に延びるガイドシャフトやガイドレールなどの案内部材に支持さ
れており、ベルト駆動機構等から駆動力が付与される。
【特許文献１】特開２００５−２５４６８４号公報
【特許文献２】特開２００６−２３１８３７号公報
【特許文献３】特開２００６−１５７０６号公報
【考案の概要】
【考案が解決しようとする課題】
【０００５】
しかしながら、上述した如くインクチューブ９１が接続された状態では、中間箇所９２
からキャリッジ９０までの間で引き回されたインクチューブ９１が自重によって重力方向
へ垂れ下がる。装置の薄型化、小型化のために、インクチューブ９１の周囲に十分な空間
がない場合は、垂れ下がったインクチューブ９１が他の部材と接触し、損傷するおそれが
ある。インクチューブ９１の損傷はインク漏れを引き起こす。また、インクチューブ９１
が他の部材と接触した際に生じた負荷により、キャリッジ９０の移動速度が不安定になり
、記録画像の画質が乱れるおそれがある。
【０００６】
本考案は、上記事情に鑑みてなされたものであり、その目的とすることろは、被記録媒
体の搬送方向と交差する方向に往復動するキャリッジを有する画像記録装置において、イ
ンクチューブなどのインク供給管の垂れ下がりを防止することにある。
【課題を解決するための手段】
【０００７】
(1)上記目的を達成するため、本考案は、キャリッジと、インク供給管と、ガイド部材
と、を具備する画像記録装置として構成されている。キャリッジに記録ヘッドが搭載され
ている。このキャリッジは、被記録媒体の搬送方向と交差する方向に往復動される。イン
ク供給管は、上記キャリッジの往復動に追従して姿勢変化する可撓性を有し、一端が装置
本体に固定され且つ他端が上記キャリッジに接続されている。インク供給管を通じて上記
記録ヘッドにインクが供給される。ガイド部材は、上記キャリッジと上記インク供給管と
の接続部の近傍に設けられ、該接続部から引き出される上記インク供給管の引出方向を上
方へ偏向させる。
【０００８】
記録ヘッドが搭載されたキャリッジが、被記録媒体の搬送方向と交差する方向に往復動
され、その移動過程において記録ヘッドからインク滴が吐出されることにより、搬送され
ている被記録媒体に画像が記録される。キャリッジに搭載された記録ヘッドは、制御基板
等から伝送された記録用の信号に基づいて、所定のタイミングでインク滴を吐出する。ま
た、記録ヘッドには、インク供給管を通じてインクが供給される。
【０００９】
インク供給管は、キャリッジの往復動に追従して姿勢変化する可撓性を有する。インク
供給管は、一端が装置本体に固定され、他端がキャリッジに接続されている。ガイド部材
は、キャリッジとインク供給管との接続部付近において、インク供給管の引き出し方向を
上方へ偏向させている。これにより、インク供給管の重力方向への垂れ下がりが防止され
る。
【００１０】
(2)上記ガイド部材は、上記接続部側から上記引出方向へ向けて上記インク供給管を上
方へ案内する傾斜面と、該傾斜面の上端が湾曲形成された湾曲部とを有する。
【００１１】
これにより、傾斜面によってインク供給管が安定的に上方へ案内される。また、傾斜面
の上端では、湾曲部の曲面がインク供給管に当接するため、ガイド部材とインク供給管と
の接触によるインク供給管の摩耗や損傷が防止される。
【００１２】
(3)  複数の上記インク供給管は、上記接続部において水平方向に配列され、上記キャ
リッジから離間するにしたがって配列姿勢が垂直方向に変化するように引き回されており
、上記傾斜面は、垂直配列において最上部に配置されるインク供給管が案内される部位か
ら垂直配列において最下部に配置されるインク供給管が案内される部位に渡って下り傾斜
している。
【００１３】
これにより、インク供給管は、水平配列から垂直配列へ変化しやすくなる。
【００１４】
(4)  上記インク供給管は、上記キャリッジの往復動方向に反転されて湾曲状に引き回
されている。このようにインク供給管が引き回された構成において、本考案は好適である
。
【００１５】
(5)  また、上記インク供給管が、上記キャリッジにおける往復動方向の両端それぞれ
から引き出された構成においても、本考案は好適である。
【考案の効果】
【００１６】
本画像記録装置によれば、キャリッジとインク供給管との接続部付近において、インク
供給管の引き出し方向がガイド部材によって上方へ偏向されるため、インク供給管の重力
方向への垂れ下がりが防止される。
【図面の簡単な説明】
【００１７】
【図１】図１は、本発明の一実施形態に係る複合機１０の外観斜視図である。
【図２】図２は、プリンタ部１１の内部構造を示す縦断面図である。
【図３】図３は、経路切換部７２の拡大断面図であり、フレーム５５が水平姿勢に維持された状態を示す。
【図４】図４は、用紙カセット７０の外観構成を示す斜視図であり、セカンドトレイ２１が分離板３２から離間された状態を示す。
【図５】図５は、用紙カセット７０の外観構成を示す斜視図であり、セカンドトレイ２１がメイントレイ２０に対して上方へ回動された状態を示す。
【図６】図６は、用紙カセット７０の外観構成を示す斜視図であり、セカンドトレイ２１の先端７６が分離板３２に当接された状態を示す。
【図７】図７は、用紙カセット７０の模式図であり、（Ａ）はセカンドトレイ２１が第１位置に配置された状態を示し、（Ｂ）はセカンドトレイ２１が第２位置に配置された状態を示し、（Ｃ）はセカンドトレイ２１が第３位置に配置された状態を示す。
【図８】図８は、用紙カセット７０の外観構成を示す模式図であり、給紙ローラ２５がクリーニング部材１３２に圧接された状態を示す。
【図９】図９は、用紙カセット７０の内部構造を示す模式図であり、メイントレイ２０に対して排紙トレイ１４０がスライドされる様子を示す。
【図１０】図１０は、当該変形例に係る画像記録ユニット２４の斜視図である。
【図１１】図１１は、台座１４０付近の構成を示す拡大斜視図である。
【図１２】図１２は、従来の画像記録装置におけるキャリッジ９０及びインクチューブ９１を模式化した模式図であり、（Ａ）はその側面図であり（Ｂ）はその平面図である。
【考案を実施するための最良の形態】
【００１８】
以下、適宜図面を参照して本考案の実施形態を説明する。なお、本実施形態は本考案の
一例にすぎず、本考案の要旨を変更しない範囲で、実施形態を適宜変更できることは言う
までもない。
【００１９】
図１は、本考案の実施形態に係る複合機１の外観構成を示す斜視図である。複合機１は
、プリンタ部２とスキャナ部３とを一体的に備えた多機能装置（ＭＦＤ：Multi Function
Device）であり、プリンタ機能、スキャナ機能、コピー機能、ファクシミリ機能等を有
する。複合機１が本考案に係る画像記録装置に相当する。なお、プリンタ機能以外の機能
は任意のものであり、例えば、スキャナ部３がなく、スキャナ機能やコピー機能を有しな
い単機能のプリンタとして本考案に係る画像記録装置が実施されてもよい。
【００２０】
図１に示されるように、複合機１は、高さより横幅及び奥行きが大きい幅広薄型の概ね
直方体の外形を有する。複合機１の下部がプリンタ部２である。プリンタ部２は、正面に
開口１０が形成されている。給紙トレイ２０及び排紙トレイ２１は、開口１０の内側に上
下２段に設けられている。給紙トレイ２０には、被記録媒体である記録用紙が収容され、
例えば、Ａ４サイズ以下のＢ５サイズ、はがきサイズ等の各種サイズの記録用紙が収容さ
れる。給紙トレイ２０に収容された記録用紙がプリンタ部２の内部へ給送されて所望の画
像が記録され、排紙トレイ２１へ排出される。
【００２１】
複合機１の上部はスキャナ部３であり、所謂フラットベッドスキャナとして構成されて
いる。複合機１の天板として開閉自在に設けられた原稿カバー３０の下側に、コンタクト
ガラス３１及びイメージセンサ３２（図２参照）が設けられている。コンタクトガラス３
１には、画像読取りを行う原稿が載置される。コンタクトガラス３１の下方には、複合機
１の奥行き方向（図２の左右方向）を主走査方向とするイメージセンサ３２が、複合機１
の幅方向（図２の紙面垂直方向）に往復動可能に設けられている。
【００２２】
複合機１の正面上部には、プリンタ部２やスキャナ部３を操作するための操作パネル４
が設けられている。複合機１は、操作パネル４からの操作指示に基づいて動作する。複合
機１が外部のコンピュータに接続されている場合には、該コンピュータからプリンタドラ
イバ又はスキャナドライバを介して送信される指示に基づいても複合機１が動作する。
【００２３】
以下、図２から図４を参照して複合機１の内部構成、特にプリンタ部２の構成について
説明する。ここに、図２は、複合機１の内部構成を示す縦断面図である。図３は、プリン
タ部２の主要構成を示す部分拡大断面図である。図４は、プリンタ部２の主要構成を示す
平面図であり、主としてプリンタ部２の略中央から装置背面側の構成を示すものである。
【００２４】
図２に示されるように、複合機１の底側に給紙トレイ２０が設けられ、給紙トレイ２０
の奥側に分離傾斜板２２が設けられている。分離傾斜板２２は、給紙トレイ２０から重送
された記録用紙を分離して、最上位置の記録用紙を上方へ案内する。用紙搬送路２３は、
分離傾斜板２２から上方へ向かった後、正面側へ曲げられて、画像記録ユニット２４を経
て排紙トレイ２１まで延設されている。したがって、給紙トレイ２０に収容された記録用
紙は、用紙搬送路２３により下方から上方へＵターンするように案内されて画像記録ユニ
ット２４に至り、画像記録ユニット２４により画像記録が行われた後、排紙トレイ２１に
排出される。
【００２５】
図３に示されるように、給紙トレイ２０の上側には、給紙トレイ２０に積載された記録
用紙を用紙搬送路２３へ供給する給紙ローラ２５が設けられている。給紙ローラ２５は、
給紙アーム２６の先端に軸支されている。給紙ローラ２５は、複数のギアが噛合されてな
る駆動伝達機構２７により、図示しないモータの駆動が伝達されて回転する。
【００２６】
給紙アーム２６は、基軸２８を回動軸として配設されており、給紙トレイ２０に接離可
能に上下動する。給紙アーム２６は、自重により又はバネ等に付勢されて給紙トレイ２０
に接触するように下側へ回動されており、給紙トレイ２０の挿抜の際に上側へ退避可能に
構成されている。給紙アーム２６が下側へ回動されることにより、その先端に軸支された
給紙ローラ２５が給紙トレイ２０上の記録用紙に圧接する。その状態で、給紙ローラ２５
が回転されることにより、給紙ローラ２５のローラ面と記録用紙との間の摩擦力により、
最上位置の記録用紙が分離傾斜板２２へ送り出される。記録用紙は、その先端が分離傾斜
板２２に当接して上方へ案内され、用紙搬送路２３へ送り込まれる。
【００２７】
用紙搬送路２３は、画像記録ユニット２４等が配設されている箇所以外は、所定間隔で
対向する外側ガイド面と内側ガイド面とから構成されている。用紙搬送路２３には、画像
記録ユニット２４が設けられている。画像記録ユニット２４は、記録ヘッド３９（本考案
の記録ヘッドの一例）を搭載して主走査方向（図３の紙面に垂直な方向）へ往復動するキ
ャリッジ３８（本考案のキャリッジの一例）を備えている。記録ヘッド３９には、インク
チューブ４１（本考案のインク供給管の一例、図４参照）を通じてシアン（Ｃ）、マゼン
タ（Ｍ）、イエロー（Ｙ）、ブラック（Ｂｋ）の各色インクが供給される。キャリッジ３
８が往復動される間に、記録ヘッド３９から各色インクが微小なインク滴として選択的に
吐出される。これにより、プラテン４２上を搬送される記録用紙に画像記録が行われる。
【００２８】
図４に示されるように、用紙搬送路２３の上側において記録用紙の搬送方向（図４の上
側から下側方向）に所定距離を隔てられて、一対のガイドレール４３，４４が記録用紙の
搬送方向と直交する方向（図４の左右方向）に延設されている。ガイドレール４３，４４
は、プリンタ部２の筐体内に設けられて、プリンタ部２を構成する各部材を支持するフレ
ームの一部を構成している。キャリッジ３８は、ガイドレール４３，４４を跨ぐようにし
て記録用紙の搬送方向と直交する方向に摺動可能に載置されている。このように、ガイド
レール４３，４４が記録用紙の搬送方向にほぼ水平に並べられることにより、プリンタ部
２の高さを低くして、装置の薄型化が実現される。
【００２９】
記録用紙の搬送方向上流側にガイドレール４３が配設され、下流側にガイドレール４４
が配設されている。これらガイドレール４３，４４は、用紙搬送路２３の幅方向（図４の
左右方向）の長さがキャリッジ３８の往復動範囲より長い平板状のものである。
【００３０】
ガイドレール４４の搬送方向上流側の縁部４５は、図３に示されるように、上方へ向か
って略直角に曲折されている。ガイドレール４３，４４に担持されたキャリッジ３８は、
縁部４５を狭持しつつ縁部４５に沿って摺動可能である。これにより、キャリッジ３８は
、記録用紙の搬送方向に対して位置決めされ、且つ、記録用紙の搬送方向と交差（本実施
形態では直交）する方向に移動可能になる。つまり、キャリッジ３８は、ガイドレール４
３，４４上に摺動自在に担持され、ガイドレール４４の縁部４５を基準として、記録用紙
の搬送方向と交差する方向に往復動する。
【００３１】
図４に示されるように、ガイドレール４４の上面には、ベルト駆動機構４６が配設され
ている。ベルト駆動機構４６は、用紙搬送路２３の幅方向の両端付近にそれぞれ設けられ
た駆動プーリ４７と従動プーリ４８との間に、内側に歯が設けられた無端環状のタイミン
グベルト４９が張架されてなるものである。駆動プーリ４７の軸には図示しないモータか
ら駆動力が入力され、駆動プーリ４７の回転によりタイミングベルト４９が周運動する。
【００３２】
キャリッジ３８は、その底面側においてタイミングベルト４９に固着されている。した
がって、タイミングベルト４９の周運動に基づいて、キャリッジ３８が縁部４５を基準と
してガイドレール４３，４４上を往復動する。このようなキャリッジ３８に記録ヘッド３
９が搭載されて、記録ヘッド３９が、用紙搬送路２３の幅方向を主走査方向として往復動
される。
【００３３】
ガイドレール４４には、所定のパターンが記された帯状のエンコーダストリップ５０が
縁部４５に平行に配設されている。キャリッジ３８に透過型センサである光学センサ３５
が設けられており、キャリッジ３８の往復動の際に光学センサ３５がエンコーダストリッ
プ５０のパターンを検知する。記録ヘッド３９には、インクの吐出を制御するヘッド制御
基板４０（図５参照）が設けられている。ヘッド制御基板４０は、光学センサ３５の検知
信号に基づくパルス信号を出力し、このパルス信号に基づいてキャリッジ３８の位置や速
度が判断されて、キャリッジ３８の往復動が制御される。なお、図４では、ヘッド制御基
板４０はキャリッジ３８のヘッドカバー５３で覆われており、図に表れていない。
【００３４】
図３及び図４に示されるように、用紙搬送路２３の下側には、記録ヘッド３９と対向し
てプラテン４２が配設されている。プラテン４２は、キャリッジ３８の往復動範囲のうち
、記録用紙が通過する中央部分に渡って配設されている。プラテン４２の幅は、搬送可能
な記録用紙の最大幅、すなわち搬送方向と直交する方向における記録用紙の最大幅より十
分に大きいものであり、記録用紙の両端は常にプラテン４２の上を通過する。
【００３５】
図４に示されるように、記録用紙が通過しない範囲、すなわち記録ヘッド３９による画
像記録範囲外には、パージ機構５１や、フラッシング時にインクの空吐出を受けるための
廃インクトレイ８４等のメンテナンスユニットが配設されている。記録ヘッド３９から気
泡等の吸引除去を行う際には、記録ヘッド３９がパージ機構５１上に位置するようにキャ
リッジ３８が移動される。その状態で、記録ヘッド３９の下面のノズルにパージ機構５１
のキャップ５２が密着され、キャップ５２を通じて図示しないポンプ機構によってインク
が吸引されて、ノズル内の気泡や異物がインクとともに吸引除去される。
【００３６】
プリンタ部２の内部には、シアン、マゼンタ、イエロー、ブラックの各色インクを保持
するインクカートリッジが収容されている。図４に示されるように、カートリッジ装着部
（不図示）からキャリッジ３８へは、各色インクに対応した４本のインクチューブ４１（
４１ａ，４１ｂ，４１ｃ，４１ｄ）が引き回されている。キャリッジ３８側へ引き回され
たインクチューブ４１は、キャリッジ３８に設けられた後述のチューブ継手１４０（本考
案の接続部の一例、図５参照）に接続されて、水平方向へ配列される。キャリッジ３８に
搭載された記録ヘッド３９には、各インクチューブ４１を通じて、インクカートリッジか
ら各色インクが供給される。なお、カートリッジとしては、インクチューブ４１によりイ
ンクを供給するタイプのものであれば周知の様々な機構を採用することが可能であり、こ
こではその構成についての説明は省略する。
【００３７】
インクチューブ４１は、合成樹脂製のものであり、ストレート形状に形成されたチュー
ブである。このインクチューブ４１は、ストレート形状を保持する適度な腰（曲げ剛性）
を有し、外力が付加されることにより撓む可撓性と、該外力が解除されたときに元の形状
に復元する弾性とを備える。そのため、インクチューブ４１は、キャリッジ３８の往復動
に追従して姿勢変化される。図示しないインクカートリッジから導出された各色のインク
チューブ４１は、装置の幅方向に沿って中央付近まで引き出されて、装置本体の固定クリ
ップ３６に一旦固定されている。各インクチューブ４１は、固定クリップ３６からキャリ
ッジ３８までの部分が装置本体等に固定されておらず、当該部分がキャリッジ３８の往復
動に追従して姿勢変化する。本実施形態では、インクチューブ４１は、固定クリップ３６
からキャリッジ３８までの部分がキャリッジ３８の往復動方向に反転する湾曲部を形成し
て引き回されている。換言すれば、インクチューブ４１は、平面視において略Ｕ字形状を
形成するように引き回されている。なお、図４においては、固定クリップ３６からインク
カートリッジ側へ延びるインクチューブ４１が途中で分断されており、その先は省略され
ている。
【００３８】
固定クリップ３６では、４本のインクチューブ４１が、図４の紙面に垂直な方向に積み
重ねられた状態に配列されて固定されている。固定クリップ３６は、上側に開口した断面
がＵ字形状の部材である。その開口から各インクチューブ４１が挿入されて垂直方向に挿
入順に積み重ねられる。これにより、４本のインクチューブ４１が、固定クリップ３６に
より一体に狭持される。このようにインクチューブ４１が狭持された結果、４本のインク
チューブ４１は、キャリッジ３８から固定クリップ３６へ向かって、水平方向の配列が垂
直方向の配列になるように捻られながら、４本全体として略Ｕ字形状に湾曲されている。
【００３９】
４本のインクチューブ４１は、キャリッジ３８から固定クリップ３６までの長さが略同
一にされている。キャリッジ３８において、記録用紙搬送方向の最も上流側に配置された
インクチューブ４１ａが、固定クリップ３６において最も上側に配置されている。そして
、インクチューブ４１ａよりも下流側に隣接するインクチューブ４１ｂが、固定クリップ
３６において該インクチューブ４１ａの次となる下側に配置されている。これを繰り返し
て、インクチューブ４１は、管接続部１４０において、記録用紙搬送方向の上流側から下
流側へ向かって順に配置され、また、固定クリップ３６において、上側から下側へ順に配
置される。各インクチューブ４１の長さは略同一に寸法設計されている。そのため、キャ
リッジ３８の記録用紙搬送方向の配列に従って、各インクチューブ４１の略Ｕ字形状の湾
曲部の中心が記録用紙搬送方向にずれるように湾曲される。これにより、湾曲部において
、４本のインクチューブ４１が上側から下側へ向かって斜め方向に整列され、キャリッジ
３８に追従して姿勢変化する際に、インクチューブ４１同士が干渉することが低減される
。なお、本実施形態では、４本のインクチューブ４１について示しているが、インクチュ
ーブ４１の本数が増減した場合も同様に配置される。もちろん、インクチューブ４１の本
数は使用するインク色に応じて適宜変更可能であり、例えば、モノクロ画像記録装置のよ
うに黒色インクのみ使用する場合は当然ながらインクチューブ４１の本数は１本である。
【００４０】
複合機１を統括的に制御する図示しない制御部から記録ヘッド３９のヘッド制御基板４
０（図５参照）へはフラットケーブル８５を通じて記録用信号等の伝送が行われる。フラ
ットケーブル８５は、電気信号を伝送する複数本の導電線をポリエステルフィルム等の合
成樹脂フィルムで覆って絶縁した薄帯状のものであり、図示しない制御部とヘッド制御基
板４０とを電気的に接続している。
【００４１】
フラットケーブル８５は、キャリッジ３８の往復動に追従して撓む可撓性を有する。図
４に示されるように、フラットケーブル８５は、キャリッジ３８から固定クリップ８６ま
での部分がキャリッジ３８の往復動方向に反転する湾曲部を形成して引き回されている。
換言すれば、フラットケーブル８５は、薄帯状の表裏面を垂直方向として、平面視におい
て略Ｕ字形状を形成するように引き回されている。つまり、フラットケーブル８５の表裏
面は、その垂線が水平方向を向いて、その面が垂直方向に拡がっている。また、キャリッ
ジ３８からフラットケーブル８５が延出される方向と、インクチューブ４１が延出される
方向とは、キャリッジ３８の往復動方向に対して同方向である。
【００４２】
キャリッジ３８に固定されたフラットケーブル８５の一端側は、前述したとおり、キャ
リッジ３８に搭載されたヘッド制御基板４０（図５参照）に電気的に接続されている。固
定クリップ８６に固定されたフラットケーブル８５の他端側は、図示しない制御部へ延出
されて電気的に接続されている。フラットケーブル８５が略Ｕ字形状に湾曲された部分は
、いずれの部材にも固定されておらず、インクチューブ４１と同様に、キャリッジ３８の
往復動に追従して姿勢変化する。このように、キャリッジ３８の往復動に追従して姿勢変
化するインクチューブ４１及びフラットケーブル８５は、回動支持部材１００によって支
持されている。
【００４３】
図４に示されるように、回動支持部材１００は、回動支点となる軸部１０２と、軸部１
０２から水平方向に延出されたアーム１０３と、該アーム１０３の先端側に形成された保
持部１０５とを有する。これらは、線鋼材が曲折されることにより一体に形成されている
。軸部１０２は、装置本体に固定された支持基板１１０に回動可能に支持されている。
【００４４】
アーム１０３の上端に、フラットケーブル８５が担持される。フラットケーブル８５は
、キャリッジ３８に追従して姿勢変化する際に、アーム１０３の上端で摺動する。保持部
１０５は、上下方向に縦長の矩形となる環１０７を有する。環１０７に４本のインクチュ
ーブ４１が摺動可能に挿通される。これにより、インクチューブ４１が環１０７内で摺動
可能に保持される。４本のインクチューブ４１がキャリッジ３８に追従して姿勢変化する
と、インクチューブ４１の姿勢変化に伴いインクチューブ４１と環１０７との間に発生し
た摺動摩擦力が、回動支持部材１００を回動させる回動力として回動支持部材１００に作
用する。つまり、４本のインクチューブ４１がキャリッジ３８に追従して姿勢変化すると
、それに伴い、回動支持部材１００もインクチューブ４１を保持しつつキャリッジ３８の
姿勢変化方向へ回動する。
【００４５】
なお、軸部１０２にはネジリコイルバネ１０９が設けられており、回動支持部材１００
のアーム１０３を矢印１０８の方向に付勢するよう作用する。したがって、仮にインクチ
ューブ４１及びフラットケーブル８５が大きく湾曲してキャリッジ３８の往復動範囲側へ
はみ出そうとしても、ネジリコイルバネ１０９によって矢印１０８の方向へ回動支持部材
１００が付勢されているため、インクチューブ４１は後述する規制壁３７側に引っ張られ
る。
【００４６】
インクチューブ４１及びフラットケーブル８５の装置正面側には、規制壁３７が装置幅
方向（図４の左右方向）に延設されている。規制壁３７は、インクチューブ４１に当接す
る垂直方向の壁面を有する壁であり、キャリッジ３８の往復動方向に沿って直線状に立設
されている。規制壁３７は、インクチューブ４１を固定する固定クリップ３６からインク
チューブ４１の延出方向に設けられており、固定クリップ３６により垂直方向に配列され
た４本のインクチューブ４１のすべてが当接可能な高さである。
【００４７】
図４に示されるように、固定クリップ３６は、装置の幅方向の略中央付近に設けられて
いる。インクチューブ４１は、固定クリップ３６から規制壁３７に沿うように延出されて
いる。したがって、インクチューブ４１は、規制壁３７の装置背面側の壁面に当接するこ
とによって、装置正面側、換言すればキャリッジ３８から離れる方向へ膨出することが規
制される。また、固定クリップ８６は、装置の幅方向の略中央付近であって固定クリップ
３６より湾曲内側となる位置に設けられている。フラットケーブル８５は、規制壁３７に
沿うように延出されている。
【００４８】
図３に示されるように、画像記録ユニット２４の上流側には、一対の搬送ローラ６０及
びピンチローラが設けられている。図３では、ピンチローラは、他の部材に隠れて表れて
いないが、搬送ローラ６０の下側に圧接状態で配置されている。搬送ローラ６０及びピン
チローラは、用紙搬送路２３を搬送されている記録用紙を狭持してプラテン４２上へ搬送
する。画像記録ユニット２４の下流側には、一対の排紙ローラ６２及び拍車６３が設けら
れている。排紙ローラ６２及び拍車６３は、記録済みの記録用紙を狭持して排紙トレイ２
１へ搬送する。搬送ローラ６０及び排紙ローラ６２は、図示しないモータから駆動力が伝
達されて、所定の改行幅で間欠駆動する。搬送ローラ６０及び排紙ローラ６２の回転は同
期されている。搬送ローラ６０にエンコーダディスク６１が設けられており、回転するエ
ンコーダディスク６１のパターンを図示しない光学センサが検知する。この検知信号に基
づいて、搬送ローラ６０及び排紙ローラ６２の回転が制御される。
【００４９】
拍車６３は、記録済みの記録用紙と圧接するので、記録用紙に記録された画像を劣化さ
せないようにローラ面が拍車状に凹凸されている。拍車６３は、排紙ローラ６２と接離す
る方向にスライド移動可能に設けられ、コイルバネにより排紙ローラ６２に圧接するよう
に付勢されている。排紙ローラ６２と拍車６３との間に記録用紙が進入すると、拍車６３
は、記録用紙の厚み分だけ付勢力に反して退避し、該記録用紙を排紙ローラ６２に圧接す
るように狭持する。これにより、排紙ローラ６２の回転力が確実に記録用紙へ伝達される
。ピンチローラも搬送ローラ６０に対して同様に設けられたものであり、記録用紙を搬送
ローラ６０に圧接するように狭持して、搬送ローラ６０の回転力を確実に記録用紙へ伝達
させる。
【００５０】
次に、図５から図９を参照して、キャリッジ３８の構成、特に、チューブ継手１４０付
近の構成について詳細に説明する。ここに、図５は、画像記録ユニット２４の斜視図であ
り、キャリッジ３８の構造が詳細に示されている。図６は、画像記録ユニット２４の平面
図である。図６の（Ａ）にはヘッドカバーが取り付けられた状態が示されており、図６の
（Ｂ）にはヘッドカバーが外された状態が示されている。図７は、画像記録ユニット２４
の側面図である。図８は、図６（Ａ）の切断線VIII−VIIIの断面図である。図９は、図８
における台座１４０付近の部分拡大図である。なお、図５では、紙面左側が搬送方向上流
側であり、紙面右側が搬送方向下流側である。また、図５では、インクチューブ４１が省
略されている。
【００５１】
図５及び図６に示されるように、キャリッジ３８にはチューブ継手１４０が設けられて
いる。チューブ継手１４０は、キャリッジ３８の幅方向中央付近に設けられている。なお
、図５（Ａ）では、チューブ継手１４０は、ヘッドカバー５３によって隠されている。チ
ューブ継手１４０は、インク色に応じて設けられており、本実施形態では、シアン（Ｃ）
、マゼンタ（Ｍ）、イエロー（Ｙ）、ブラック（Ｂｋ）の各色インクに対応する４つのチ
ューブ継手１４０が設けられている。これらのチューブ継手１４０に各色インクに対応す
る４本のインクチューブ４１（４１ａ，４１ｂ，４１ｃ，４１ｄ）が嵌め込まれることに
より、各インクチューブ４１がキャリッジ３８に接続される。
【００５２】
チューブ継手１４０は、記録用紙搬送方向の上流側から下流側へ向かって所定間隔で水
平方向に順に配置されている。チューブ継手１４２は、合成樹脂製の部材からなり、キャ
リッジ３８の往復動方向と同じ方向（図６の下方向）へ突出されている。したがって、チ
ューブ継手１４２にインクチューブ４１が接続されると、４本のインクチューブ４１は、
キャリッジ３８側において水平方向に配列され、且つ、キャリッジ３８の往復同方向のう
ちの一方向（図４の左方向）へ引き出される。
【００５３】
キャリッジ３８の一方の側面（スライド方向側の側面）には、インクチューブ４１が挿
通される挿通口１４３が形成されている。この挿通口１４３は、キャリッジ３８に対して
ヘッドカバー５３が取り付けられることによって形成される。チューブ継手１４０から挿
通口１４３に渡って、インクチューブ４１が担持される台座１４１（本考案のガイド部材
の一例）が設けられている。この台座１４１は、キャリッジ３８と一体に形成されている
。
【００５４】
台座１４１は、図８に示されるように、チューブ継手１４０側よりも挿通口１４３側の
方が高く形成されている。この台座１４１は、チューブ継手１４０付近から挿通口１４３
へ向けて上方へ傾斜する矩形状の傾斜面１４４を有する。本実施形態では、傾斜面１４４
は、フラットに形成されている。４本のインクチューブ４１は、傾斜面１４４に載るよう
に担持されている（図７参照）。この傾斜面１４４によって、インクチューブ４１は、図
７及び図８に示されるように、挿通口１４３側においてチューブ継手１４０側よりも高い
位置に持ち上げられる。つまり、インクチューブ４１は、傾斜面１４４によって、チュー
ブ継手１４０側からインクチューブ４１の引出方向へ向けてインクチューブ４１を上方へ
案内される。このような台座１４１が設けられているため、キャリッジ３８の挿通口１４
３から引き出されるインクチューブ４１の引き出し方向が、台座１４１によって上方へ偏
向される。
【００５５】
台座１４１は、図９に示されるように、湾曲部１４６を有する。湾曲部１４６は、台座
１４１において、挿通口１４３側の端部に形成されている。具体的には、傾斜面１４４の
上端（挿通口１４３側の端部）が湾曲形成されることにより湾曲部１４６が構成されてい
る。
【００５６】
上述の如く構成された本実施形態においては、キャリッジ３８に台座１４１が設けられ
ているため、挿通口１４３から引き出されるインクチューブ４１の引出方向が上方へ偏向
される（図８参照）。これにより、キャリッジ３８から引き出されたインクチューブ４１
が重力方向へ垂れ下がることが防止される。その結果、画像記録ユニット２４の周辺部材
との接触によるインクチューブ４１の損傷も防止される。
【００５７】
また、台座１４１に傾斜面１４４が設けられているため、インクチューブ４１が安定的
に上方へ案内される。更に、傾斜面１４４の上端に湾曲部１４６が設けられているため、
挿通口１４３付近では、インクチューブ４１の表面が湾曲部１４６の曲面に当接する。そ
のため、台座１４１とインクチューブ４１との接触によるインクチューブ４１の摩耗や損
傷が防止される。
【００５８】
以下、図１０及び図１１を参照して、上記実施形態の変形例について説明する。ここに
、図１０は、当該変形例に係る画像記録ユニット２４の斜視図である。図１１は、台座１
４０付近の構成を示す拡大斜視図である。この変形例では、台座１４０は、図示されるよ
うに、上述の傾斜面１４４とは異なる２つの傾斜面１４８，１４９を有する。
【００５９】
傾斜面１４８及び傾斜面１４９は、それぞれ、三角形状を呈している。台座１４１の上
面は、これら２つの傾斜面１４８，１４９によって、平面視で矩形状に形成されている。
図１１に示されるように、傾斜面１４８は、台座１４１の上面において、チューブ継手１
４０側の端辺１３１と、記録用紙の搬送方向上流側（図１０の紙面左側）の端辺１３２と
、台座１４１の上面の対角線１３３とにより区画されている。この傾斜面１４８は、上述
の傾斜面１４４と同様の傾きを有しており、詳細には、チューブ継手１４０側の端辺から
挿通口１４３へ向けて上方へ傾斜している。この傾斜面１４８にインクチューブ４１が担
持されるのであるが、傾斜面１４８におけるインクチューブ４１の担持領域は、インクチ
ューブ４１ａ（図４参照）が担持される搬送方向上流側の領域ほど広く、搬送方向下流側
（図１０の紙面右側）へ進むほど担持領域は狭くなり、インクチューブ４１ｄ（図４参照
）が担持される最も搬送方向下流側の領域で最も狭くなっている。
【００６０】
一方、傾斜面１４９は、図１１に示されるように、台座１４１の上面において、挿通口
１４３（図５参照）側の端辺１３４と、記録用紙の搬送方向下流側の端辺１３５と、台座
１４１の上面の対角線１３３とにより区画されている。この傾斜面１４９は、上述の傾斜
面１４４とは異なり、対角線１３３を頂部として搬送方向下流側へ下り傾斜している。こ
の傾斜面１４８にもインクチューブ４１が担持されるのであるが、傾斜面１４９における
インクチューブ４１の担持領域は、インクチューブ４１ａ（図４参照）が担持される搬送
方向上流側の領域ほど狭く、搬送方向下流側（図１０の紙面右側）へ進むほど担持領域は
広くなり、インクチューブ４１ｄ（図４参照）が担持される最も搬送方向下流側の領域で
最も広くなっている。
【００６１】
上述したように、本実施形態では、４本のインクチューブ４１は、キャリッジ３８から
固定クリップ３６へ向かって、水平方向の配列が垂直方向の配列になるように捻られなが
ら、４本全体として略Ｕ字形状に湾曲されている。このような構成において、傾斜面１４
８及び傾斜面１４９を有する台座１４１が設けられているため、挿通口１４３から引き出
されるインクチューブ４１の引出方向が傾斜面１４８によって上方へ偏向され、且つ、傾
斜面１４９によって４本のインクチューブ４１が湾曲中心側へ傾倒される。これにより、
インクチューブの垂れ下がりを防止することができ、且つ、インクチューブ４１が水平配
列から垂直配列へ変化し易くなる。
【００６２】
なお、上述の実施形態は本考案の一例にすぎず、本考案の要旨を変更しない範囲で、実
施形態を適宜変更できることは言うまでもない。上述の実施形態では、インクチューブ４
１がキャリッジ３８のスライド方向の一方の側面から引き出された構成に本考案を適用す
ることとしたが、例えば、キャリッジ３８の両方の側面それぞれからインクチューブ４１
が引き出された構成にも本考案は適用可能である。
【符号の説明】
【００６３】
１・・・複合機（画像記録装置）
３９・・・記録ヘッド
３８・・・キャリッジ
４１・・・インクチューブ（インク供給管）
１４０・・・インクチューブ（接続部）
１４１・・・台座（ガイド部材）
１４６・・・湾曲部
【図１】
0003163292.tif 000003
【図２】
0003163292.tif 000004
【図３】
0003163292.tif 000005
【図４】
0003163292.tif 000006
【図５】
0003163292.tif 000007
【図６】
0003163292.tif 000008
【図７】
0003163292.tif 000009
【図８】
0003163292.tif 000010
【図９】
0003163292.tif 000011
【図１０】
0003163292.tif 000012
【図１１】
0003163292.tif 000013
【図１２】
0003163292.tif 000014